(57)【要約】【課題】  荷台に取り付けるラッシングレールを効率的な作業によって取付け可能にする。【解決手段】  荷台の側壁１の内面に、該側壁の内面に沿い、かつ該側壁内面と間隙を有する舌片４、５が上向きまたは下向きに一端を開放して設けられ、前記側壁内面に取り付けられるラッシングレール６には、上記間隙の開放側から挿入されて固定される挿入片６ａ、６ｂを上下端に有している。側壁は、側壁本体と該側壁上端に連結された側壁上連結材とによって構成したり、上下に分割された側壁本体と、該側壁本体間で上下の側壁本体に連結された側壁間連結材とによって構成でき、前記舌片は、これらの側壁構成部材に設けることができる。上記によれば、ラッシングレールを側壁に強固に固定でき、取付作業を簡略に行うことができる。その結果、製造コストを低減できる。【選択図】  図１
2006159935.tif 000002
【特許請求の範囲】
【請求項１】
荷台の側壁の内側面に、該側壁の内側面に沿い、かつ該側壁内側面と間隙を有する舌片が上向きまたは下向きに一端を開放して設けられており、前記側壁内側面に取り付けられるラッシングレールには、上記間隙の開放側から挿入されて固定される挿入片を上端または下端に有していることを特徴とするラッシングレールの取付け構造。
【請求項２】
荷台の側壁の内側面に、該側壁の内側面に沿い、かつ該側壁内側面と間隙を有する舌片が下向きに一端を開放して設けられ、前記荷台の側壁の下方の内側面に、該側壁の内側面に沿い、かつ該側壁内側面と間隙を有する舌片が上向きに一端を開放して設けられており、前記側壁内側面に取り付けられるラッシングレールには、上記間隙の開放側から挿入されて固定される挿入片を上端および下端に有していることを特徴とするラッシングレールの取付け構造。
【請求項３】
前記側壁は側壁本体と該側壁上端に連結された側壁上連結材とを有しており、該側壁連結材に前記舌片が設けられていることを特徴とする請求項１または２に記載のラッシングレールの取付け構造。
【請求項４】
前記側壁は、上下に分割された側壁本体と、該側壁本体間で上下の側壁本体に連結された側壁間連結材とを有しており、該側壁間連結材に前記舌片が設けられていることを特徴とする請求項１〜３のいずれかに記載のラッシングレールの取付け構造。
【請求項５】
前記側壁本体と側壁間連結材または側壁上連結材とは、その対向面に嵌合凹部と嵌合凸部とが対になって設けられて互いに嵌合連結されるものであることを特徴とする請求項１〜４のいずれかに記載のラッシングレールの取付け構造。
【請求項６】
前記側壁本体と側壁間連結材または側壁上連結材とは、その対向面に挿入突片と該突片が挿入される挿入溝とが対になって設けられているいることを特徴とする請求項１〜５のいずれかに記載のラッシングレールの取付け構造。
【発明の詳細な説明】
【技術分野】
【０００１】
この発明は、車両などの移動荷台の側壁に設けられてラッシングロープなどの固定に用いられるラッシングレールの取付け構造に関するものである。
【背景技術】
【０００２】
車両などに設けられた荷台では、移動中に積み荷が崩れたり、ずれたりして積み荷が損傷を受けるのを防止するために、しばしばラッシングロープなどの繋索材を用いて積み荷を固定する方法が採られている。ラッシングロープなどの繋索材は、その端部を荷台の側壁に設けたラッシングレールに係止している。ラッシングレールは、前後方向に長尺な形状からなり、通常は取付孔を前後方向に多数並列させて任意の位置で前記ラッシングロープなどの係止が可能になっている。
図６は、従来のラッシングレールの取付け構造を示すものである（例えば特許文献１）。荷台の側壁２０の内面側に前後方向に沿って所定幅の凹部２１を設け、該凹部２１に収まる形状のラッシングレール２２を前記凹部２２に配置し、ラッシングレール２２の上下辺をリベット２３…２３などによって側壁２０に固定している。
【特許文献１】特開平８−６７２７５
【発明の開示】
【発明が解決しようとする課題】
【０００３】
ところで、ラッシングレールは、ラッシングレールに係止された繋索材によって積み荷を安定して支持できるように、側壁に強固に固定されている必要がある。しかも、ラッシングレールは前記したように前後に長尺な形状を有しており、側壁に固定する際には、多数のリベットなどを用いた取り付け作業が必要になる。このため、ラッシングレールの固定作業には多大な手間がかかり、荷台の製造コストを増大させる原因になっている。例えば、リベットの穴のピッチを５０ｍｍ、側壁長さ１０ｍとし、固定箇所が上下２箇所にあるとすると、片側の側壁で４００個、両側の側壁で８００箇所の穴明け工程、リベット打ち込み工程が必要になる。さらに穴明けの切粉を除去する工程も必要であり、作業工数が多く、材料費もかかる。
また、ラッシングを取り替える際には、リベットをドリルでもんで全て取外して取替えることになるが、側壁の穴が大きくなったりして強度上使用できなくなる場合もあり、側壁ごと取替えることも少なくなく、この際は車両から側壁を外さなければならず工数がさらに増えるという問題がある。
【０００４】
本発明は、上記事情を背景としてなされたものであり、ラッシングレールを荷台側壁に強固に固定できるとともに固定作業に手間がかからずに製造コストの低減が可能なラッシングレールの取付け構造を提供することを目的とする。
【課題を解決するための手段】
【０００５】
すなわち、本発明のラッシングレールの取付け構造のうち、請求項１記載の発明は、荷台の側壁の内側面に、該側壁の内側面に沿い、かつ該側壁内側面と間隙を有する舌片が上向きまたは下向きに一端を開放して設けられており、前記側壁内側面に取り付けられるラッシングレールには、上記間隙の開放側から挿入されて固定される挿入片を上端または下端に有していることを特徴とする。
【０００６】
請求項２記載のラッシングレールの取付け構造の発明は、荷台の側壁の内側面に、該側壁の内側面に沿い、かつ該側壁内側面と間隙を有する舌片が下向きに一端を開放して設けられ、前記荷台の側壁の下方の内側面に、該側壁の内側面に沿い、かつ該側壁内側面と間隙を有する舌片が上向きに一端を開放して設けられており、前記側壁内側面に取り付けられるラッシングレールには、上記間隙の開放側から挿入されて固定される挿入片を上端および下端に有していることを特徴とする。
【０００７】
請求項３記載のラッシングレールの取付け構造は、請求項１または２に記載の発明において、前記側壁は側壁本体と該側壁上端に連結された側壁上連結材とを有しており、該側壁連結材に前記舌片が設けられていることを特徴とする。
【０００８】
請求項４記載のラッシングレールの取付け構造は、請求項１〜３のいずれかに記載の発明において、前記側壁が、上下に分割された側壁本体と、該側壁本体間で上下の側壁本体に連結された側壁間連結材とを有しており、該側壁間連結材に前記舌片が設けられていることを特徴とする。
【０００９】
請求項５記載のラッシングレールの取付構造は、請求項１〜４のいずれかに記載の発明において、前記側壁本体と側壁間連結材または側壁上連結材とは、その対向面に嵌合凹部と嵌合凸部とが対になって設けられて互いに嵌合連結されるものであることを特徴とする。
【００１０】
請求項６記載のラッシングレールの取付構造は、請求項１〜５のいずれかに記載の発明において、前記側壁本体と側壁間連結材または側壁上連結材とは、その対向面に挿入突片と該突片が挿入される挿入溝とが対になって設けられていることを特徴とする。
【００１１】
すなわち、本発明のラッシングレールによれば、ラッシングレールの上端または下端の挿入片を荷台側壁に設けた舌片と側壁の内側面との間隙に開放側から挿入することでラッシングレールの一端側が固定される。ラッシングレールの他端側は、同様に荷台側壁に設けた他の舌片と側壁内側面との間隙に挿入して固定することもでき、また、一端側のみをリベットなどを用いて固定することもできる。上記取付によって少なくともラッシングレールの一端側では取付作業を簡略にすることができ、取付強度も十分なものとすることができる。
なお、上記舌片は、側壁の前後方向に沿って間隔をおいて複数設けるものでもよく、また、前後方向に沿って長尺な形状からなるものであってもよい。また、舌片は板状でも良く、また、肉厚を有するブロック状のものでもよく、また内部を中空とした型材からなるものであってもよい。要は、荷台側壁の内側面との間に間隙を有し、該内側面とによってラッシングレールの挿入片を狭持する面または部位を有するものであればよい。
【００１２】
また、前記側壁は、側壁本体と該側壁本体に連結された側壁上連結材とを有するものとしてもよい。さらに、前記側壁は、上下に分割された側壁本体と、該側壁本体間に配置されて上下の側壁本体と連結される側壁間連結材とを有するものであってもよい。さらに、側壁は、側壁本体と上記側壁上連結材と、側壁間連結材を有するものであってもよい。
【００１３】
前記舌片は、上記した側壁本体や側壁連結材、側壁間連結材のいずれにも設けることができる。ただし、舌片を上下に二つ設ける場合、少なくとも一方を側壁上連結材と、側壁間連結材の一方に設けるのが望ましい。これにより側壁を構築する際に、ラッシングレールの取付も並行して行うことで取付作業を容易に行うことが可能になる。
なお、本発明は、荷台の側壁に取り付けられるラッシングレールの取付構造に関するものであり、荷台は移動を前提とするトラック用のものに好適である。但し、本発明はこれに限定されず、鉄道用の荷台、船舶用の荷台、コンテナなどにも適用が可能である。
【発明の効果】
【００１４】
以上説明したように、本発明のラッシングレールの取付け構造によれば、荷台の側壁の内側面に、該側壁の内側面に沿い、かつ該側壁内側面と間隙を有する舌片が上向きまたは下向きに一端を開放して設けられており、前記側壁内面に取り付けられるラッシングレールには、上記間隙の開放側から挿入されて固定される挿入片を上端または下端に有しているので、ラッシングレールを側壁に強固に固定できるとともに、取付作業を簡略に行うことができる。したがって、荷台の製造コストを低減することができる。
また、前記側壁を側壁本体と該側壁上端に連結された側壁上連結材とで構成して、該側壁連結材に前記舌片を設けるものとすれば、側壁の構築に並行してラッシングレールの取付作業を容易に行うことができる。
【００１５】
また、前記側壁を上下に分割された側壁本体と、該側壁本体間で上下の側壁本体に連結された側壁間連結材とで構成して、該側壁間連結材に前記舌片を設けるものとしても、側壁の構築に並行してラッシングレールの取付作業を容易に行うことができる。
【００１６】
なお、前記側壁本体と側壁間連結材または側壁上連結材とは、その対向面に嵌合凹部と嵌合凸部とが対になって設けられて互いに嵌合連結されるものとしたり、前記側壁本体と側壁間連結材または側壁上連結材とを、その対向面に挿入突片と該突片が挿入される挿入溝とが対になって設けられているものとすれば、側壁本体と連結材との連結を容易に行うことができるとともに、連結材の位置決めが正確になされ、よって連結材に設けられた舌片と側壁本体の内面との間隙量を正確に確保することができる。
【発明を実施するための最良の形態】
【００１７】
（実施形態１）
以下に、本発明の一実施形態を図１、２に基づいて説明する。
荷台の側壁１は、上下方向に複数に分割された側壁本体１１０、１２０…を上方から順に有しており、上部側の側壁本体１１０の上端部に側壁上連結材１００が連結されている。
各側壁本体は、対向面に形成された嵌合凹部と嵌合凸部との嵌合によって連結され、さらに上下に通しボルト２が貫通している。側壁本体１１０と側壁本体１２０との連結構造について詳細に説明すると、側壁本体１２０の上端面には、嵌合凹部１２１が形成されており、嵌合凹部１２１の底面には挿入溝１２２が形成されている。また、嵌合凹部１２１の側壁上端には、挿入突片１２３が形成されている。一方、側壁本体１１０の下端面には、前記嵌合凹部１２１に内挿されて嵌合される嵌合凸部１１１が形成されている。また、嵌合凸部１１１の両側は、下方に伸張して、前記挿入溝１２２に挿入される挿入突片１１２を構成しており、また、嵌合突部１１１の両外側には、前記挿入突片１２３が挿入される挿入溝１１３が形成されている。
【００１８】
側壁本体１１０、１２０は、上記した嵌合凹凸部の嵌合と挿入突片、挿入溝の挿入係止によって連結されており、これらの連結を繰り返すことで側壁本体をさらに上下に連結することができ、本発明としてはその連結数は特に限定されない。
また、側壁本体１１０は、下方部１１０ａを除いた上方側では内側面１１０ｂが外側寄りに位置しており、前記下方部１１０ａの内方側上端から上方に伸張する舌片５は、上記内側面１１０ｂと所定の間隙を有している。また、舌片５の先端には、内側面１１０ｂ側に突きだした押圧部５ａが設けられている。
また、側壁本体１１０の上端面には、嵌合凸部１１５が設けられており、該嵌合凹部１１５の両側は、上方に伸びる挿入突片１１６が形成され、両方の挿入突片１１６の間は嵌合凹部１１７を構成している。また、嵌合凸部１１５の外方側には、挿入溝１１８が形成されている。
【００１９】
側壁上連結材１００は、上記嵌合凸部１１５が内挿されて嵌合される嵌合凹部１０５を有しており、該嵌合凹部１０５の外側壁は、先端が前記挿入溝１１８に挿入される挿入突片１０８を構成している。また、前記嵌合凹部１０５の天井面には、前記嵌合凹部１１７に内挿される嵌合凸部１０７が形成されている。
また、側壁上連結材１００の側壁内方側には、下方に伸張する舌片４が設けられており、該舌片４は、側壁上連結材１００を側壁本体１１０に連結した際に、側壁本体１１０の内側面１１０ｂと所定の間隙を有している。
【００２０】
上記側壁上連結材１００には、前記通しボルト２に螺合されるフランジナット３が上方から挿入される。該フランジナット３を通しボルト２に螺合させ締付けることで側壁上連結材１００と側壁本体１１０、１２０…が固定される。
なお、ラッシングレール６は、上下端部が前記内面１１０ｂに沿う平坦形状の挿入片６ａ、６ｂを有し、該挿入片６ａ、６ｂ間は、側壁内方側に膨出してその側壁内方側面が前記側壁上連結材１００の内側面および側壁本体１１０の下方部１１０ａの内側面にほぼ沿う形状を有している。
【００２１】
該ラッシングレールは、挿入片６ｂを前記した舌片５と内面１１０ｂとの間の間隙に挿入し、挿入片６ａは、側壁上連結材１００を側壁本体１１０に連結して固定する際に、舌片４と内面１１０ｂとの間に挿入して固定する。
図２は、上記のようにして構築された側壁１と該側壁１に取り付けられたラッシングレール６とを示す図である。上記工程においては、側壁の構築に合わせてラッシングレール６を容易に側壁に取り付けて固定することができる。また、取り付けられたラッシングレールは、前記舌片４、５によって強固に固定されている。
【００２２】
（実施形態２）
次に、他の実施形態を図３に基づいて説明する。
なお、この実施形態において、前記実施形態１と同様の構成については、同一の符号を付してその説明を省略または簡略化する。
なお、この実施形態では、側壁本体１１０の下方部１１０ａには、舌片５および押圧部５ａは設けられていない。この実施形態２に用いられるラッシングレール６は、前記実施形態１と同様の形状を有している。
ラッシングレール６の挿入片６ａは、前記実施形態１と同様に、側壁上連結材１００に設けられた舌片４と側壁本体１１０の内面１１０ｂとの間の間隙に挿入される。一方、ラッシングレール６の挿入片６ｂは、側壁本体１１０の内面１１０ｂに当ててリベット２３によって側壁本体１１０に固定される。
この実施形態においてもラッシングレールの上限端の一方では、舌片を用いた方法によって容易に取り付けられており、従来に比べて取付作業が簡易になるという効果を有している。
【００２３】
（実施形態３）
次に、他の実施形態を図４に基づいて説明する。
なお、この実施形態においても、前記実施形態１と同様の構成については、同一の符号を付してその説明を省略または簡略化する。
この実施形態３では、ラッシングレールを多段に取り付けることを可能にしており、舌片５を有する側壁本体１３０を複数用いており、該側壁本体１３０、１３０間に、側壁間連結材１４０が連結されている。
側壁本体１３０は、下端面の構造が異なる以外は、側壁本体１１０と同様の構造を有しており、下端面の構造について説明する。すなわち、側壁本体１３０の下端面には、嵌合凹部１３１が形成されており、嵌合凹部１３１の底面には挿入溝１３２が形成されている。また、嵌合凹部１３１の側壁上端には、挿入突片１３３が形成されている。また、側壁本体１３０の下方部１３０ａには舌片５と押圧部５ａとが設けられ、その上方の内側面１３０ｂは外側寄りに位置している。
【００２４】
一方、側壁間連結材１４０の上端面には、前記嵌合凹部１３１に内挿されて嵌合される嵌合凸部１４１が形成されている。また、嵌合凸部１４１の両側は、上方に伸張して、前記挿入溝１３２に挿入される挿入突片１４２を構成しており、また、嵌合突部１３１の両外側には、前記挿入突片１３３が挿入される挿入溝１４３が形成されている。
また、側壁間連結材１４０の下端面には、嵌合凹部１４５が形成されており、嵌合凹部１４５の天井面には挿入溝１４６が形成されている。また、嵌合凹部１４５の外側の側壁下端には、挿入突片１４８が形成されている。
さらに側壁上連結材１００の側壁内側面には、下方に伸張する舌片７が設けられている。
【００２５】
この実施形態３では、側壁上連結材１００の舌片４と上方の側壁本体１３０の舌片５とによって上段のラッシングレール６が固定され、側壁間連結材１４０の舌片７と、下方の側壁本体１３０の舌片５とによって下段のラッシングレール６が固定されている。なお、本発明としては、ラッシングレールの取付け段数は特に限定されるものではなく、３段以上を取り付けることも可能である。
【００２６】
（実施形態４）
上記各実施形態は、フランジナット３を側壁上連結材１００の上方から挿通させて通しボルトに螺合させるものとしたが、図５に示すように側壁上連結材１００ａの下方部に通しボルトの回り止め部８を収容する凹部を形成し、側壁上連結材の下方部の側壁本体等を通しボルト２で螺合した後、側壁上連結材を連結するものであってもよい。
【図面の簡単な説明】
【００２７】
【図１】本発明の一実施形態を示すラッシングレール取付け構造の取付過程を示す断面図である。
【図２】同じく、ラッシングレール取付け構造を示す断面図である。
【図３】本発明の他の実施形態のラッシングレール取付け構造を示す断面図であり、（ａ）図は取付け過程、（ｂ）図は、取付け後構造を示す。
【図４】本発明の他の実施形態のラッシングレール取付け構造を示す断面図である。
【図５】さらに他の実施形態のラッシングレール取付け構造を示す断面図である。
【図６】従来のラッシングレール取付け構造を示す斜視図である。
【符号の説明】
【００２８】
１    側壁
２    通しボルト
３    フランジナット
４    舌片
５    舌片
６    ラッシングレール
７    舌片
８    通しボルトの回り止め部
１００    側壁上連結材
１１０    側壁本体
１２０    側壁本体
１３０    側壁本体
１４０    側壁間連結材
【図１】
2006159935.tif 000003
【図２】
2006159935.tif 000004
【図３】
2006159935.tif 000005
【図４】
2006159935.tif 000006
【図５】
2006159935.tif 000007
【図６】
2006159935.tif 000008